(57)【要約】      （修正有）【課題】前板、後板及び側板の起立状態を保持することができ、組み立てが容易な段ボール箱用シートを提供する。【解決手段】方形の底板３と、上記底板の前縁及び後縁から延設され、組み立て状態で互いに対向する前板５及び後板４と、上記底板の両側縁から延設され、組み立て状態で互いに対向する一対の側板６と、上記後板の後縁から延設される。梱包状態で上記底板に対抗する天板７と、上記天板の両側縁から延設され、上記天板の裏面に貼着される一対の貼着片８と、組み立て時における上記後板の起立に伴い上記一対の側板を起立させるよう、上記一対の貼着片と上記一対の側板とを接続する一対の接続部９と、上記一対の側板の前縁から延設される。組み立て状態で上記前板の裏面に当接する舌片と、上記前板の前縁から延設され、組み立て状態で上記舌片の移動を規制するように上記一対の側板の間で係止される内折片１３とを備える。【選択図】図１
0003185226.tif 000002
【実用新案登録請求の範囲】
【請求項１】
１枚の段ボール紙からなり、箱型に組み立てられて収容物を梱包可能な段ボール箱用シートであって、
方形の底板と、
上記底板の前縁及び後縁から延設され、組み立て状態で互いに対向する前板及び後板と、
上記底板の両側縁から延設され、組み立て状態で互いに対向する一対の側板と、
上記後板の後縁から延設され、梱包状態で上記底板に対抗する天板と、
上記天板の両側縁から延設され、上記天板の裏面に貼着される一対の貼着片と、
組み立て時における上記後板の起立に伴い上記一対の側板を起立させるよう、上記一対の貼着片と上記一対の側板とを接続する一対の接続部と、
上記一対の側板の前縁から延設され、組み立て状態で上記前板の裏面に当接する舌片と、
上記前板の前縁から延設され、組み立て状態で上記舌片の移動を規制するよう上記一対の側板の間で係止される内折片と
を備えることを特徴とする段ボール箱用シート。
【請求項２】
上記内折片の最大幅が、組み立て状態の上記一対の側板間の距離以上である請求項１に記載の段ボール箱用シート。
【請求項３】
上記内折片の両側縁から延設され、組み立て状態で上記内折片の裏面に当接する一対の折返片と、
上記一対の舌片の側縁から延設され、組み立て状態で上記折返片の表面に当接するよう上記一対の折返片に連接された一対の連接片と
をさらに備える請求項１又は請求項２に記載の段ボール箱用シート。
【請求項４】
上記一対の貼着片及び上記一対の側板が上記天板及び上記底板の裏面に当接するよう折り返され、上記一対の貼着片が上記天板に貼着されている請求項１、請求項２又は請求項３に記載の段ボール箱用シート。
【請求項５】
請求項１から請求項４のいずれか１項に記載の段ボール箱用シートを組み立ててなる段ボール箱。
【考案の詳細な説明】
【技術分野】
【０００１】
本考案は、段ボール箱用シート及び段ボール箱に関する。
【背景技術】
【０００２】
一枚の段ボール紙からなり、方形の底板の各側辺に連接された四つの側壁（前板、後板及び一対の側板）を折り立てて箱型に形成する段ボール箱が利用されている。中でも、小包や宅配のための梱包用に利用される段ボール箱は、場所を取らないように平坦なシート（平坦に折り畳んだものを含む）の状態で提供され、各ユーザが箱型に組み立てて使用する。そのような梱包用の段ボール箱は、接着剤や粘着テープを使用せずに側壁を立てた状態に保持できることが望ましい。また、多種多様な商品を数多く発送する通信販売業者等では、そのような組立式の段ボール箱の組み立て作業の容易さが業務効率に少なからず影響する。
【０００３】
組立式の段ボール箱として、対向する一対の第１の側壁の上縁に側壁の内側に折り返される内折片を設け、隣接する一対の第２の側壁の側端に第１の側壁と内折片との間に挟み込まれて係止される舌片をそれぞれ延設したものある。そのような段ボール箱では、一対の第２の側壁をそれぞれ折り立てた状態で、一方の第１の側壁を折り立ててからさらに内折片を折り返すことにより、ようやく一対の第２の側壁を折り立てた状態に保持できるようになる。よって、そのような段ボール箱は、組み立てが煩雑である。
【０００４】
また、第１の側壁の側端と隣接する第２の側壁の側端とを略直角二等辺三角形状の２つの接続片によって接続した段ボール箱もある。しかしながら、そのような構成によっても、第１の側壁に対して接続片を係止するまでは、二つの第２の側壁を折り立てた状態に手で保持する必要があり、組み立てが容易ではない。
【０００５】
中芯のないボール紙からなる化粧箱等では、第２の側壁の舌片を予め第１の側壁に貼着し、第１又は第２の側壁の端部に底板の角から４５度の角度で延伸する折り曲げ線を形成し、平坦な状態に折り畳んだ状態でユーザに提供されるものもある。しかしながら、輸送用の段ボール箱に折り畳みのための余分な折り曲げ線を形成することは、輸送中に箱体が潰れやすくなるため好ましくない。
【０００６】
組み立てを容易にした段ボール箱として、特許文献１（登録実用新案第３１７２２６５号公報）には、第１の側壁の上縁に延設されて段ボール箱の上部を封止するフラップの側端にこのフラップの裏面に貼着される貼付け部を延設し、第２の側壁の側端と貼り付け部とを折り込み部で接続し、第２の側壁及び貼り付け部を底板及びフラップの上にそれぞれ折り返して貼付け部をフラップに貼着した状態で提供され、第１の側壁をフラップと共に折り立てれば、折り込み部を介して第２の側壁を起立させられる構成が開示されている。
【０００７】
しかしながら、登録実用新案第３１７２２６５号公報の構成では、第１の側壁を起立させた状態に保持していないと、底板と第１の側壁との間の折り曲げ線における段ボール紙の腰（復原力）や底板と第２の側壁との間の折り曲げ線における折り癖によって側壁が倒れて段ボール箱が潰れてしまうという問題がある。登録実用新案第３１７２２６５号公報には、折り込み部に第１の側壁に干渉する突起を設けて側壁の倒れを防止することも記載されているが、そのような突起だけでは側壁の起立状態を十分に保持できない場合があるだけでなく、組み立て時にも突起が第１の側壁に干渉することによって段ボール箱の組み立て作業を難しくする。
【先行技術文献】
【特許文献】
【０００８】
【特許文献１】登録実用新案第３１７２２６５号公報
【考案の概要】
【考案が解決しようとする課題】
【０００９】
本考案は、これらの不都合に鑑みてなされたものであり、前板、後板及び側板の起立状態を保持することができ、組み立てが容易な段ボール箱用シート及び段ボール箱を提供することを課題とする。
【課題を解決するための手段】
【００１０】
上記課題を解決するためになされた考案は、
１枚の段ボール紙からなり、箱型に組み立てられて収容物を梱包可能な段ボール箱用シートであって、
方形の底板と、
上記底板の前縁及び後縁から延設され、組み立て状態で互いに対向する前板及び後板と、
上記底板の両側縁から延設され、組み立て状態で互いに対向する一対の側板と、
上記後板の後縁から延設され、梱包状態で上記底板に対抗する天板と、
上記天板の両側縁から延設され、上記天板の裏面に貼着される一対の貼着片と、
組み立て時における上記後板の起立に伴い上記一対の側板を起立させるよう、上記一対の貼着片と上記一対の側板とを接続する一対の接続部と、
上記一対の側板の前縁から延設され、組み立て状態で上記前板の裏面に当接する舌片と、
上記前板の前縁から延設され、組み立て状態で上記舌片の移動を規制するよう上記一対の側板の間で係止される内折片と
を備えることを特徴とする段ボール箱用シートである。
【００１１】
当該段ボール箱用シートによれば、側板及び貼着片を折返し、貼着片を天板の裏面に貼着しておけば、後板及び天板とこの天板に接続部を介して接続された側板及び側板とが連動して起き上がったり倒れたりする。左右の側板を起立させた状態で、舌片を内側に折り曲げ、さらに内折片を側板の間に折り込んで係止させることで舌片の移動が規制される。これにより、舌片が連接された側板、ひいては後板の倒れを防止できる。このように、当該段ボール箱用シートは、前板、後板及び両側板の起立状態を保持でき、箱型に容易かつ確実に組み立てられる。
【００１２】
当該段ボール箱用シートは、上記内折片の最大幅が、組み立て状態の上記一対の側板間の距離以上であるとよい。そうすれば、内折片が側板と側板の間に強く挟み込まれるので、これにより生じる大きな摩擦力によって内折片を保持して当該段ボール箱用シートを箱状に組み立てた状態に保持できる。
【００１３】
当該段ボール箱用シートは、上記内折片の両側縁から延設され、組み立て状態で上記内折片の裏面に当接する一対の折返片と、上記一対の舌片の側縁から延設され、組み立て状態で上記折返片の表面に当接するよう上記一対の折返片に連接された一対の連接片とをさらに備えるとよい。そうすれば、前板及び内折片と、この内折片に折返片、連接片及び舌片によって接続された側板とが、底板に対して同時に立ち上がったり倒れたりするので、前板、後板及び両側板を同時に起立させられる。また、内折片を折り曲げた状態では、連接片及び折返片が舌片を前板に密着させるので、舌片が側板及び側板と前板とを起立状態に接続する。このため、当該段ボール箱用シートを組み立てた段ボール箱は十分な強度を有する。
【００１４】
当該段ボール箱用シートは、記一対の貼着片及び上記一対の側板が上記天板及び上記底板の裏面に当接するよう折り返され、上記一対の貼着片が上記天板に貼着されているとよい。そうすれば、天板の搖動を側板に伝える接続部が連接されている貼着片の天板との一体性が確保されることによって後板と両側板との連動が保証されるので、段ボール箱の組み立てがより簡単である。
【００１５】
また、上記課題を解決するためになされた別の考案は、上記構成からなる当該段ボール箱用シートが組み立てられて構成される段ボール箱である。
【００１６】
ここで、前、後及び側は、当該段ボール箱用シートにおける相対的な方向を示すものであって、当該段ボール箱用シート及び当該段ボール箱の使用状態における向きを限定するものではない。また、表面は、当該段ボールシートの２つの面の内、底板、前板、後板及び両側板において組み立て状態の当該段ボール箱の外側に配置される面を指し、裏面はその反対側の面を指す。また、組み立て状態は、底板、前板、後板及び両側板が筒状体をなすように起立した状態を指し、天板の位置を問わないが、梱包状態は、さらに天板が上記筒状体の上部開口を封止している状態を指す。
【考案の効果】
【００１７】
以上説明したように、本考案の段ボール箱用シートは、平坦に折り畳んだ状態でユーザに供給され、ユーザが容易に組み立てられる。
【図面の簡単な説明】
【００１８】
【図１】本考案の第一実施形態に係る段ボール箱を示す斜視図である。
【図２】図１の段ボール箱を構成する段ボール箱用シートの平面図（段ボール箱の展開図）である。
【図３】図２の段ボール箱用シートを糊付けした状態を示す斜視図である
【図４】図３の段ボール箱用の組み立て途中を示す斜視図である。
【図５】図３の段ボール箱用を組み立てた状態を示す斜視図である。
【図６】本考案の第二実施形態に係る段ボール箱用シートを示す平面図（段ボール箱の展開図）である。
【図７】本考案の第三実施形態に係る段ボール箱用シートを示す平面図（段ボール箱の展開図）である。
【考案を実施するための形態】
【００１９】
以下、適宜図面を参照しつつ、本考案の実施の形態を詳説する。
【００２０】
［第一実施形態］
図１の段ボール箱１は、図２の１枚の段ボール箱用シート２を組み立てることにより構成される。この段ボール箱用シート２は、一枚の段ボール紙からなり、方形の底板３と、底板３の底板の前縁及び後縁から延設され、図１の組み立て状態で互いに対向する前板４及び後板５と、底板３の両側縁から延設され、組み立て状態で互いに対向する一対の側板６と、後板５の後縁から延設され、梱包状態で底板３に対抗する天板７とを備える。段ボール箱用シート２は、中芯の向き（断面が波型にならずに直線になる向き）が底板３の前縁及び後縁と平行になるように横向きに配向されている。なお、図において細い実線は、段ボール紙を型押しして折り曲げやすくした罫線を示す。
【００２１】
また、段ボール箱用シート２は、天板７の両側縁から延設され、天板７の裏面に貼着される一対の貼着片８と、組み立て時における後板５の起立に伴い一対の側板６を起立させるよう、一対の貼着片８と一対の側板６とを接続する一対の接続部９とを備える。接続部９は、両側板の後縁に連接し、底板３の後縁と側縁との角を二等分する直線上において貼着片８に連接している。また、接続部９は、側板６の側縁の延長線上に罫線が設けられ、側板６に連接する折込片１０と、貼着片８に連接する接続片１１とに区分できる。
【００２２】
さらに、段ボール箱用シート２は、一対の側板６の前縁から延設され、組み立て状態で前板４の裏面に当接する舌片１２と、前板４の前縁から延設され、組み立て状態で舌片１２の移動を規制するよう一対の側板６の間で係止される内折片１３と、内折片１３の両側縁にそれぞれ連接する一対の折返片１４と、側板６の側縁の延長線上において舌片１２に連接し、かつ底板３の前縁と両側縁との間の角をそれぞれ二等分する直線上において折返片１４に連接する一対の連接片１５とを備える。内折片１３の折返片１４が連接する両側縁は、前側の約半分が、折返片１４側に傾斜している。このため、内折片１３の前縁は、前板４の後縁（前板の前縁）よりも僅かに（例えば２ｍｍ）長くなっている。つまり、内折片１３の最大幅は、組み立て状態の一対の側板６間の距離以上である。
【００２３】
加えて、段ボール箱用シート２は、天板７の後縁中央部から延設された差込片１６と、側板６の側縁にそれぞれ連接する一対のフランジ板１７とを備える。また、段ボール箱用シート２は、上述の各部の境界にシートの折り曲げを容易にする罫線又は切り込み（折り曲げ状態を保持し得る公知の縦長コの字状のものを含む）が設けられている。また、内折片１３の後縁部（前板４との境界部）には、内折片１３を前板４に対して折り曲げることによって差込片１６を挿入可能なスリットを形成する切り込み１８が設けられている。
【００２４】
段ボール箱用シート２は、貼着片８の糊付け部１９にそれぞれ糊を塗布し、図３に示すように、両貼着片を天板７に、側板６を底板３に、両折返片１４を内折片１３にそれぞれ重ねるように折り返して、両貼着片８が天板７の裏面に接着された状態でユーザに提供される。
【００２５】
続いて、この段ボール箱用シート２を段ボール箱１の状態に組み立てる手順を説明する。図４に示すように、段ボール箱用シート２の後板５を底板３に対して折り立ててゆくと、天板７及び貼着片を介して移動させられる接続部９が側板６の後縁を起き上がらせる。同様に、前板４を底板３に対して折り立ててゆくと、内折片１３及び折返片１４を介して移動させられる連接片１５及び舌片１２が側板６の前縁を起き上がらせる。
【００２６】
前板４及び後板５を直立させると、２枚の側板６も直立する。さらに、図５に示すように、内折片１３を内側に折り曲げて一対の側板６の間に配置する。前板４を直立させた状態では、前板４の裏面に舌片１２が密着し、内折片１３の裏面に折返片１４が密着し、この折返片１４の表面（段ボール箱１では内側に配置される面）にさらに連接片１５が密着する。従って、内折片１３を内側に折り曲げることにより、連接片１５も舌片１２に対して折り曲げられる。折返片１４及び連接片１５が前板４及び舌片１２に対して折り曲げられると、舌片１２が前板４に密着した状態に保持される。
【００２７】
内折片１３を２枚の側板６との間に折り込むと、内折片１３の前縁の幅が対をなす側板６の裏面間の距離よりもわずかに大きいので、内折片１３の側縁と側板６との間に比較的大きな摩擦力が生じる。この摩擦力は、内折片１３を係止して、内折片１３がその腰によって立ち上がることを防止する。このとき、段ボール箱用シート２の中芯の向きが内折片１３の先端縁と一致しているため、内折片１３の前縁の圧縮強度が高く、高い摩擦力を発揮する。
【００２８】
さらに、図１に示すように、両フランジ板１７を内側に折り曲げることで、内折片１３の立ち上がりをフランジ板１７によってより確実に完全に防止できる。また、一度フランジ板１７を内側に折り曲げると、側板６の上端縁に内折片１３の両側縁に係合する折り曲げ線が形成されるため、フランジ板１７を再度起こしたとしても、内折片１３は容易に立ち上がらない。さらに、フランジ板１７と側板６との境界に形成した切り込みに内折片１３の側縁が係合するようにしてもよい。
【００２９】
組み立て状態において、前板４の側縁と側板６の前縁とは、折返片１４、連接片１５及び舌片１２を介して接続される。つまり、折返片１４及び連接片１５を側板６との間に内折片１３を係止する摩擦力は、当該段ボール箱用シート２を組み立てた状態に保持するためには必要であるが、組み立てた段ボール箱１の強度には必要でない。
【００３０】
このように、当該段ボール箱用シート２は、側板６の間に内折片１３を挟み込んで前板４を起立状態に係止することで、内折片１３、折返片１４、連接片１５及び舌片１２を介して前板４と連動する側板６を起立状態に保持し、さらに、折込片１０、接続片１１、貼着片８及び天板７を介して後板５を起立状態に保持できる。従って、ユーザは、この状態で段ボール箱１から両手を離せるので、容易に段ボール箱１の中に収容物を入れられる。
【００３１】
その後、天板７を折り曲げて、差込板１６を切り込み１８によって形成されたスリットに差し込むことで、段ボール箱１を封止して収容物を梱包できる。
【００３２】
以上のように、当該段ボール箱１は、前板４、後板５、側板６を容易に起立させられる上、内折片１３を一対の側板６の間に係止させることにより、舌片１２を前板に密接する状態に係止して側板６を起立状態に保持でき、ひいては側板６に連接する接続部９（折込片１０及び接続片１１）、貼着片８及び天板７を介して後板５を直立状態に保持できる。よって、当該段ボール箱１は、組み立てが容易であり、作業性に優れる。
【００３３】
［第二実施形態］
図６の段ボール箱用シート２ａは、底板３、前板４、後板５、側板６、天板７、一対の貼着片８、一対の接続部９（折込片１０及び接続片１１）、一対の舌片１２、内折片１３ａ、一対の折返片１４ａ、一対の連接片１５、及び天板７の後縁から全長に亘って延設されたフラップ１６ａを備える。なお、本実施形態の段ボール箱用シート２ａにおいて、図２の段ボール箱用シート２と同じ構成要素には同じ符号を付して、重複する説明を省略する。
【００３４】
この段ボール箱用シート２ａの内折片１３ａは、図２の内折片１３よりも前後に長い。これに対応し、段ボール箱用シート２ａでは、折返片１４ａの前後長も大きくなっている。また、内折片１３ａの後縁部には、約１０ｍｍ間隔で平行に延伸する折り曲げ容易線（罫線と切り込みを交互に配設したもの）が設けられている。内折片１３ａは、２本の折り曲げ容易線で折り曲げることによって、前板４との間に舌片１２、折返片１４ａ及び連接片１５を挟み込むように約１８０度折り返される。フラップ１６ａは、前板４の外側に延伸して、段ボール箱用シート２ａを組み立てた段ボール箱を封止する。
【００３５】
［第三実施形態］
図７の段ボール箱用シート２ｂは、底板３ｂ、前板４、後板５、側板６、天板７、一対の貼着片８、一対の接続部９（折込片１０及び接続片１１）、一対の舌片１２ｂ、内折片１３ｂ、及びフラップ１６ａを備える。なお、本実施形態の段ボール箱用シート２ａにおいて、図２の段ボール箱用シート２又は図６の段ボール箱用シート２ａと同じ構成要素には同じ符号を付して重複する説明を省略する。
【００３６】
段ボール箱用シート２ｂにおいて、舌片１２ｂは略長方形に形成されている。また、段ボール箱用シート２ｂの内折片１３ｂは、前板４と略同じ大きさを有し、前縁に突起部２０が設けられている。そして、段ボール箱用シート２ｂの底板３ｂは、前縁近傍に、内折片１３ｂの突起部２０に対応する係合孔２１が形成されている。段ボール箱用シート２ｂでは、舌片１２ｂと内折片１３ｂとは接続されていない。
【００３７】
段ボール箱用シート２ｂは、後板５を折り立てて側板６を起立させ、舌片１２ｂを内側に折り込むことで側板６が倒れないように支持した後、前板４を折り立て、内折片１３ｂを折返して舌片１２ｂを挟み込み、突起部２０を係合孔２１に挿入することで、前板４と側板６を起立状態に接続する。
【００３８】
［その他の実施形態］
今回開示された実施の形態はすべての点で例示であって制限的なものではないと考えられるべきである。本考案の範囲は、上記実施形態の構成に限定されるものではなく、特許請求の範囲によって示され、特許請求の範囲と均等の意味及び範囲内での全ての変更が含まれることが意図される。
【００３９】
例えば、当該段ボール箱用シートは、舌片と前板とを、折返片及び連接片ではなく前板の両側縁に連接する略三角形の連結片によって接続してもよい。
【産業上の利用可能性】
【００４０】
当該段ボール箱用シートを組みたてた当該段ボール箱は、宅配等の商品梱包用に特に好適に使用される。
【符号の説明】
【００４１】
１  段ボール箱
２，２ａ，２ｂ  段ボール箱用シート
３，３ａ  底板
４  後板
５  前板
６  側板
７  天板
８  貼着片
９  接続部
１０  折込片
１１  接続片
１２，１２ｂ  舌片
１３，１３ａ，１３ｂ  内折片
１４  折返片
１５  連接片
１６  差込片
１６ａ  フラップ
１７  フランジ板
１８  切り込み
１９  糊付け部
２０  突起部
２１  係合孔
【図１】
0003185226.tif 000003
【図２】
0003185226.tif 000004
【図３】
0003185226.tif 000005
【図４】
0003185226.tif 000006
【図５】
0003185226.tif 000007
【図６】
0003185226.tif 000008
【図７】
0003185226.tif 000009